(57)【要約】      （修正有）【課題】装着対象面に長時間安定してホルダーを粘着・吸着保持することが出来る，着脱自在なマルチホルダーを提供する。【解決手段】軟質の合成樹脂，合成ゴムなどで形成され，ドーム状吸着部１，押圧部２，剥離部３を備える吸盤，軟質の合成樹脂，ゴムなどで形成され，吸盤の内面頭頂部より狭いサイズで，表裏を貫通する通気開口部６を備えるベース５，ならびに，軟質両面粘着の合成樹脂，合成ゴムなどで形成され，吸盤の内面頭頂部より広いサイズで，気密開口部８を備え，ベース５の外周部と装着対象面との間に所定の剥離隙間を設ける形状，サイズのプレート７で構成され，装着対象面にプレート７，ベース５，吸盤を重ねて装着して，吸盤を強く押圧することにより，ドーム状吸着部１，通気開口部６，気密開口部８により構成されるホルダー一体の粘着吸盤構造により，ホルダーを装着対象面に長時間安定して粘着・吸着保持する。【選択図】図１
0003145363.tif 000002
【実用新案登録請求の範囲】
【請求項１】
吸盤，ベース，プレートで構成し，ベースまたは吸盤に形成する保持具に物品を取り付けて壁などの装着対象面に装着するホルダーに関し，軟質の合成樹脂，ゴムなどで形成され，吸盤の内面頭頂部より狭いサイズで表裏を貫通する通気開口部を備えるベースの裏面に，軟質両面粘着の合成樹脂，合成ゴムなどで形成され，吸盤の内面頭頂部より広いサイズで両面を貫通する気密開口部を備え，ベースの外周部と装着対象との間に所定の剥離隙間を設ける形状，サイズのプレートの片面を粘着して，通気開口部と気密開口部を連結し，プレートの反対面を装着対象面に粘着させるとともに，ベースの表面に，軟質の合成樹脂，合成ゴムなどで形成され，ドーム状吸着部，押圧部，剥離部を備える吸盤を強く押圧することにより，ドーム状吸着部，通気開口部，気密開口部により構成されるホルダー一体の粘着吸盤構造により，装着対象面にホルダーを長時間安定して粘着・吸着保持することが出来るマルチホルダー。
【請求項２】
ベースに通気開口部を備えず，ドーム状吸着部とベース，ベースと気密開口部により構成されるホルダー一体の粘着吸盤構造により，装着対象面にホルダーを長時間安定して粘着・吸着保持することが出来る，請求項１に記載するマルチホルダー。
【請求項３】
ベース表面に通気開口部を遮断しない開口を有する押圧補助構造を備える，請求項１に記載するマルチホルダー。
【請求項４】
ベース表面に開口を有さない押圧補助構造を備える，請求項２に記載するマルチホルダー。
【考案の詳細な説明】
【技術分野】
【０００１】吸盤，ベース，プレートで構成し，ベースまたは吸盤に形成する保持具により物品を壁などの装着対象面に装着するホルダーに関し，軟質の合成樹脂，合成ゴムなどで形成され，ドーム状吸着部，押圧部，剥離部を備える吸盤，軟質の合成樹脂，ゴムなどで形成され，吸盤の内面頭頂部より狭いサイズで，表裏を貫通する通気開口部を備えるベース，ならびに，軟質両面粘着の合成樹脂，合成ゴムなどで形成され，吸盤の内面頭頂部より広いサイズの気密開口部を備え，かつ，ベースの外周部と装着対象との間に所定の剥離隙間を設ける形状，サイズのプレートで構成され，装着対象面にプレート，ベース，吸盤を重ねて装着して，吸盤を強く押圧することにより，ドーム状吸着部，通気開口部，気密開口部により構成されるホルダー一体の粘着吸盤構造により，装着対象面にホルダーを長時間安定して粘着・吸着することが出来る，着脱自在なマルチホルダー。
【背景技術】
【０００２】壁などの装着対象に傷を付けずに物品を吊り下げたりする部材としては，吸盤や粘着材が利用されるが，吸盤は，吸着対象面の平滑度が粗い場合に気密が維持できず空気が流入して剥離するが，剥離構造により剥離が容易である利点が有る。粘着材は，粘着度が強い場合は平滑度が粗い面に対しても粘着が図られるものの，装着対象に粘着させる場合に気泡が入り易く，粘着力や気密性を損なう。また，粘着度が強いほど剥離が困難となるとともに，表面が塵芥により汚れ易く，汚れた場合は吸着力が低下し，特に水などの液体に対しては極端に弱い。このように，吸盤ならびに粘着材はそれぞれに弱点を有しているため，相互に補完する目的から，吸盤に粘着材を貼り付けたり，粘着材で吸盤を形成するなど，吸着と粘着の両方の機能を活用するための種々な提案がなされているが，いずれに関しても実現の効果や，所要の吸着力や剥離性を得ることにも難点が有るなど，根本的な課題は解決されていない。
【考案が解決しようとする課題】
【０００３】壁などの装着対象面にクギなどで傷を付けずに物品を装着する部材として，平滑度の粗い装着対象面への吸着力の弱さなど，吸盤の有する弱点，ならびに装着対象面に粘着させる場合に，多くの気泡が入り，粘着力や気密性を損なう点や，剥離性の難点，汚れによる吸着力の低下，水などの液体による非粘着など，粘着材の有する弱点を解決するために，相互の利点である，吸盤の吸着性と剥離性，粘着材の粘着性と軟質性による気密性を複合的に活用することにより，装着対象面に長時間安定してホルダーを粘着・吸着保持することが出来る，着脱自在なマルチホルダーを提供する。
【課題を解決するための手段】
【０００４】ベースまたは吸盤に形成する保持具に物品を取り付けて壁などの装着対象面に装着するホルダーに関し，軟質の合成樹脂，合成ゴムなどで形成され，ドーム状吸着部，押圧部，剥離部を備える吸盤，軟質の合成樹脂，ゴムなどで形成され，吸盤の内面頭頂部より狭いサイズで，表裏を貫通する通気開口部を備えるベース，ならびに，軟質両面粘着の合成樹脂，合成ゴムなどで形成され，吸盤の内面頭頂部より広いサイズで，気密開口部を備え，ベースの外周部と装着対象面との間に所定の剥離隙間を設ける形状，サイズのプレートで構成され，装着対象面にプレート，ベース，吸盤を重ねて装着して，吸盤を強く押圧することにより，ドーム状吸着部，通気開口部，気密開口部により構成されるホルダー一体の粘着吸盤構造により，ホルダーを装着対象面に長時間安定して粘着・吸着保持する。
【考案の効果】
【０００５】プレート，ベース，吸盤を重ねて，プレートの片面を装着対象面に粘着した状態で吸盤を強く押圧することにより，通気開口部を通って気密開口部にドーム状吸着部内の空気を送り込むとともに，ベースが吸盤の内面頭頂部により押圧されることにより，気密開口部内の空気をベースとプレート，および，プレートと接触対象面の間から押し出すとともに残留する気泡が排除される。通気開口部は吸盤が接触する位置のセンターに吸盤の内面頭頂部より狭いサイズで形成することにより，吸盤を強く押圧すると，内面頭頂部により，ベースの通気開口部が蓋をされ，かつ，吸盤の内面頭頂部より広いサイズの気密開口部に押し下げられるため，気密開口部の空気は強く押し出され，高い気密性が得られる。また，マルチホルダーを装着対象面に装着する場合に，吸盤を強く押圧する操作は，平滑度の粗い装着対象面に対してプレートを強く圧接するため，軟質なプレートが，装着対象面の凹凸に順応して，外の空気の流入を防ぐ効果が有る。吸盤の押下を解除すると，ドーム状吸着部，通気開口部，気密開口部の気密性により，マルチホルダーは装着対象面に長時間安定して粘着・吸着保持することが出来る。
【０００６】装着対象面に対してはプレートの粘着作用だけでなく吸着作用も働くため，プレートが塵芥により汚れた場合や，水などが付着した場合でも装着対象面への吸着は維持される。さらに，吸盤は剥離構造により簡単に剥離可能であるとともに，プレートによる装着対象面への装着は粘着作用のみに依存せず吸着作用も機能するため，それ程強い粘着力は必要なく，さらに，ベースは裏面外周部の一部，または全周に装着対象面との間に剥離隙間を備えるため，装着対象面からのベースの剥離は極めて容易である。
【考案を実施するための最良の形態】
【０００７】図１（１）は本発明によるマルチホルダーの概観斜視図であり，１は軟質の合成樹脂，合成ゴムなどで形成される吸盤のドーム状吸着部，２は押圧部，３は剥離部，４は押圧部の付け根に形成される内面頭頂部を示す。５は軟質の合成樹脂，ゴムなどで形成されるベースを示し，６は吸盤の内面頭頂部より狭いサイズで，表裏を貫通する通気開口部を示す。通気開口部は吸盤を押圧した場合に吸盤の内面頭頂部が接触する中央位置に形成する。７は軟質両面粘着の合成樹脂，合成ゴムなどで形成され，気密開口部を備えたドーナツ型のプレート，８は吸盤の内面頭頂部より広いサイズで両面を貫通する気密開口部を示し，吸盤のドーム状吸着部，ベースの通気開口部とともにホルダー一体の粘着吸盤構造を構成する。図１（２）は請求項２を構成する，通気開口部を有さないベース５を示し，ドーム状吸着部とベース，ベースと気密開口部により構成されるホルダー一体の粘着吸盤構造を構成する。【０００８】ベースの裏面にプレートを粘着，表面に吸盤を吸着させて，ホルダー一体の粘着吸盤構造を構成する。プレートは粘着面積が広いほど粘着力は強くなる反面，剥離が困難になる。しかし，プレートの気密開口部は粘着機能が無く，かつベース裏面の外周の一部または全周に装着対象面との間に剥離隙間１０を設けるため，装着対象面からのベースの剥離は容易である。なお，ベースに取り付けるプレート面は，取り付けて以降は殆ど取り外すことは無く，塵芥などによる汚れが付着しないため強い粘着力が維持される。万一，軟質両面粘着材の面が汚れて粘着性が低下した場合は，水洗により粘着力は回復させられる。【０００９】図２はベースに，吸盤の内面頭頂部より狭いサイズで，表裏を貫通する通気開口部を備える請求項１に記載するマルチホルダーの構成断面図を示し，斜線部はドーム状吸着部１，通気開口部６，気密開口部８により構成される気密領域であり，９は装着対象面を示す。吸盤の押圧部２を強く押圧することにより，ドーム状吸着部内の空気が通気開口部を通って機密開口部に送り込まれる。また，吸盤の内面頭頂部４により通気開口部が蓋をされ，ベースの気密開口部周辺を押し下げるため，軟質のベースはプレートの気密開口部に押し込まれて気密開口部の空気をベースとプレート，および，プレートと接触対象面の間から押し出すとともに残留する気泡が排除される。残留する気泡は，時間とともに相互に連結して，外の空気をホルダー内に導き，気密性を損なう原因となる。ただし，このような手段でも，通気開口部の空気は容易に排出されないため，通気開口部に残留する空気を少なくするには，ベースを薄く，通気開口部を小サイズとすることが望ましい。マルチホルダーを装着対象面に装着する場合に，吸盤を強く押圧する操作は，平滑度の粗い装着対象面に対してプレートを強く圧接するため，軟質なプレートが，装着対象面の凹凸に適応して，空気漏れを防ぐ効果が有る。この後，吸盤の押下を解除すると，ドーム状吸着部，通気開口部，気密開口部の気密性により，マルチホルダーは装着対象面に装着保持される。【００１０】図１（３）は，合成樹脂，ゴム，金属などで形成され，プレートの気密開口部に収まる形状，サイズで，ベースの通気開口部を封じない開口１３を有する押圧補助部材１２を，通気開口部を備えるベースの表面に装着した状態を示す。図１（４）は，通気開口部を備えないベースに開口を有さない押圧補助部材１４をベースの表面に装着した状態を示す。吸盤を強く押圧すると，吸盤の内面頭頂部が押圧補助部材を押し下げて，押圧補助部材がプレートの気密開口部内に押し込まれることにより，気密開口部内の広範な空気がベースとプレート，および，プレートと接触対象面の間から押し出されるとともに残留する気泡が排除される。吸盤の押下を解除することにより，ドーム状吸着部，気密開口部それぞれの気密性とプレートの粘着性により，マルチホルダーは装着対象面に装着保持される。図３は部材の保持具１１をベースに装着した概観斜視図，図４は部材の保持具１１を吸盤に装着した概観斜視図を示す。
【実施例】
【００１１】実施例としては，Φ４５ｍｍ，高さ２０ｍｍ，押圧部Φ１０ｍｍのエストラーマ材の吸盤，厚さ１ｍｍ，外径Φ５５ｍｍ，通気開口Φ０．５ｍｍの塩化ビニール材の円盤状ベース，厚さ３ｍｍ，外径Φ５０ｍｍ，気密開口径３０ｍｍのポリウレタン材のプレートで構成した。また，通気開口を有さないベースは，厚さ１ｍｍ，外径Φ５５ｍｍの塩化ビニール材で構成した。さらに，押圧補助部材は外形Φ２５ｍｍ，厚さ０．５ｍｍ，開口１３はΦ２ｍｍの硬質塩化ビニールで構成した。吸盤は軟質塩化ビニール材，ベースは合成ゴム材，プレートはシリコンゴム材などの適用も可能である。また，吸盤によるベースへの押圧力を強くするため，別体の押圧補助部材を用いず，請求項１の構成では通気開口部の周辺を吸盤の内面頭頂部より狭い範囲でベースを増肉し，請求項２の構成では吸盤の内面頭頂部が接触する部分を吸盤の内面頭頂部より狭い範囲でベースを増肉して構成することも有効である。ベースやプレートの形状は楕円，矩形，または特殊な形状でも良い。物品の保持具はクリップ，フック，名札立てなど多様な機能が考えられる，など，マルチホルダーを構成する，材質，形状，デイメンジョンなどに関しては，本考案の趣旨を逸脱しない範囲であれば，種々変形実施が可能である。
【図面の簡単な説明】
【００１２】
【図１】本考案によるマルチホルダーの概観斜視図を示す。
【図２】マルチホルダーの吸着構造を示す構成断面図を示す。
【図３】部材の保持具をベースに装着した概観斜視図を示す。
【図４】部材の保持具を吸盤に装着した概観斜視図を示す。
【符号の説明】
１  吸盤のドーム状吸着部    ６  通気開口部        １１  保持具
２  押圧部                  ７  プレート          １２  押圧補助部材
３  剥離部                  ８  気密開口部        １３  開口
４  内面頭頂部              ９  装着対象面        １４  押圧補助部材
５  ベース                １０  剥離隙間
【図１】
0003145363.tif 000003
【図２】
0003145363.tif 000004
【図３】
0003145363.tif 000005
【図４】
0003145363.tif 000006
【手続補正書】
【提出日】平成20年6月30日(2008.6.30)
【手続補正１】
【補正対象書類名】実用新案登録請求の範囲
【補正対象項目名】全文
【補正方法】変更
【補正の内容】
【実用新案登録請求の範囲】
【請求項１】
吸盤，ベース，プレートで構成し，ベースまたは吸盤に形成する保持具に物品を取り付けて壁などの装着対象面に装着するホルダーに関し，軟質の合成樹脂，ゴムなどで形成され，吸盤の内面頭頂部より狭いサイズで表裏を貫通する通気開口部を備えるベースの裏面に，軟質両面粘着の合成樹脂，合成ゴムなどで形成され，吸盤の内面頭頂部より広いサイズで両面を貫通する気密開口部を備え，ベースの外周部と装着対象との間に所定の剥離隙間を設ける形状，サイズのプレートの片面を粘着して，通気開口部と気密開口部を連結し，プレートの反対面を装着対象面に粘着させるとともに，ベースの表面に，軟質の合成樹脂，合成ゴムなどで形成され，ドーム状吸着部，押圧部，剥離部を備える吸盤を強く押圧することにより，ドーム状吸着部，通気開口部，気密開口部により構成されるホルダー一体の粘着吸盤構造により，装着対象面にホルダーを長時間安定して粘着・吸着保持することが出来るマルチホルダー。
【手続補正２】
【補正対象書類名】明細書
【補正対象項目名】０００５
【補正方法】変更
【補正の内容】
【０００５】プレート，ベース，吸盤を重ねて，プレートの片面を装着対象面に粘着した状態で吸盤を強く押圧することにより，通気開口部を通って気密開口部にドーム状吸着部内の空気を送り込むとともに，ベースが吸盤の内面頭頂部により押圧されることにより，ドーム状吸着部ならびに気密開口部内の空気をベースとプレート，および，プレートと接触対象面の間から押し出すとともに残留する気泡が排除され高い気密性が得られる。また，マルチホルダーを装着対象面に装着する場合に，吸盤を強く押圧する操作は，平滑度の粗い装着対象面に対してプレートを強く圧接するため，軟質なプレートが，装着対象面の凹凸に順応して，外の空気の流入を防ぐ効果が有る。吸盤の押下を解除すると，ドーム状吸着部，通気開口部，気密開口部の気密性により，マルチホルダーは装着対象面に長時間安定して粘着・吸着保持することが出来る。
【手続補正３】
【補正対象書類名】明細書
【補正対象項目名】０００７
【補正方法】変更
【補正の内容】
【０００７】図１は本発明によるマルチホルダーの概観斜視図であり，１は軟質の合成樹脂，合成ゴムなどで形成される吸盤のドーム状吸着部，２は押圧部，３は剥離部，４は押圧部の付け根の内側に形成される内面頭頂部を示す。５は軟質の合成樹脂，ゴムなどで形成されるベースを示し，６は吸盤の内面頭頂部より狭いサイズで，表裏を貫通する通気開口部を示す。通気開口部は吸盤を押圧した場合に吸盤の内面頭頂部が接触する中央位置に形成することが望ましい。７は軟質両面粘着の合成樹脂，合成ゴムなどで形成され，気密開口部を備えたドーナツ型のプレート，８は吸盤の内面頭頂部より広いサイズで両面を貫通する気密開口部を示し，吸盤のドーム状吸着部，ベースの通気開口部とともにホルダー一体の粘着吸盤構造を構成する。
【手続補正４】
【補正対象書類名】明細書
【補正対象項目名】０００９
【補正方法】変更
【補正の内容】
【０００９】図２はベースに，吸盤の内面頭頂部より狭いサイズで，表裏を貫通する通気開口部を備えるマルチホルダーの構成断面図を示し，斜線部はドーム状吸着部１，通気開口部６，気密開口部８により構成される気密領域であり，９は装着対象面を示す。吸盤の押圧部２を強く押圧することにより，ドーム状吸着部内の空気が通気開口部を通って機密開口部に送り込まれるため，ドーム状吸着部ならびに気密開口部の空気をベースとプレート，および，プレートと接触対象面の間から押し出すとともに残留する気泡が排除される。気密性を高めるためには，ベースを薄く，通気開口部を小サイズとし，かつ気密開口部の空間を狭くして，残留する空気を少なくすることが望ましい。また，ベースとプレート，および，プレートと接触対象面の間に残留する気泡は，時間とともに相互に連結して，外の空気をホルダー内に導き，気密性を損なう原因となる。マルチホルダーを装着対象面に装着する場合に，吸盤を強く押圧する操作は，平滑度の粗い装着対象面に対してプレートを強く圧接するため，軟質なプレートが，装着対象面の凹凸に適応して，空気漏れを防ぐ効果が有る。
【手続補正５】
【補正対象書類名】明細書
【補正対象項目名】００１０
【補正方法】変更
【補正の内容】
【００１０】図３は部材の保持具１１をベースに装着した概観斜視図，図４は部材の保持具１１を吸盤に装着した概観斜視図を示す。図３の保持具をベースに装着した場合は保持具に取り付ける部材の加重は吸盤には直接かからず，図４の保持具を吸盤に装着した場合は部材の加重は直接吸盤にかかるなどの違いや，双方はマルチホルダーの占有スペースが相違する。
【手続補正６】
【補正対象書類名】明細書
【補正対象項目名】００１１
【補正方法】変更
【補正の内容】
【００１１】実施例としては，Φ４５ｍｍ，高さ２０ｍｍ，押圧部Φ１０ｍｍのエラストマー材の吸盤，厚さ１ｍｍ，外径Φ５５ｍｍ，通気開口Φ２ｍｍの塩化ビニール材の円盤状ベース，厚さ３ｍｍ，外径Φ５０ｍｍ，気密開口径２５ｍｍのポリウレタン材のプレートで構成した。吸盤は軟質塩化ビニール材，ベースはエラストマー材，プレートはシリコンゴム材などの適用も可能である。また，ベース中央部の表面，または裏面を別体またはベース材の肉盛りにより補強して，気密開口部の空気の押し出しを強化したり，気密開口部の開口空間を狭くすることも可能である。また，ベースやプレートの形状を楕円，矩形，または特殊な形状にすることも出来る。物品の保持具はクリップ，フック，名札立てなど多様な機能が考えられる，など，マルチホルダーを構成する，材質，形状，デイメンジョンなどに関しては，本考案の趣旨を逸脱しない範囲であれば，種々変形実施が可能である。
【手続補正７】
【補正対象書類名】明細書
【補正対象項目名】００１２
【補正方法】変更
【補正の内容】
【００１２】
【図１】本考案によるマルチホルダーの概観斜視図を示す。
【図２】マルチホルダーの吸着構造を示す構成断面図を示す。
【図３】部材の保持具をベースに装着した概観斜視図を示す。
【図４】部材の保持具を吸盤に装着した概観斜視図を示す。
【符号の説明】
１  吸盤のドーム状吸着部    ６  通気開口部        １１  保持具
２  押圧部                  ７  プレート
３  剥離部                  ８  気密開口部
４  内面頭頂部              ９  装着対象面
５  ベース                １０  剥離隙間
【手続補正８】
【補正対象書類名】図面
【補正対象項目名】図１
【補正方法】変更
【補正の内容】
【図１】
0003145363.tif 000007